(57)【特許請求の範囲】
【請求項１】
振込依頼人の顔情報を取得する顔情報取得手段と、
振込名義人情報および受取人情報を含む振込情報を取得する振込情報取得手段と、
前記振込名義人情報に関連付けられた振込名義人の顔情報を取得する振込名義人顔情報取得手段と、
前記振込依頼人の顔情報と前記振込名義人の顔情報とが一致するかを判定する顔情報判定手段と、予め登録された振込承諾先に、前記振込依頼人と前記振込名義人とが異なることを示す通報情報を送信するかを確認する通報確認情報を送信する通報確認情報送信手段と、
前記通報情報の送信を承諾する通報承諾情報を受信する通報承諾情報受信手段と、
前記振込情報に基づき、振込処理を実行する振込処理手段と、
予め登録された通報先に、前記通報情報を送信する通報情報送信手段とを備え、
前記顔情報判定手段において、前記振込依頼人の顔情報と前記振込名義人の顔情報とが一致しないと判定された場合、
前記通報確認情報送信手段は、前記予め登録された振込承諾先に、前記通報情報を送信するかを確認する通報確認情報を送信し、
前記通報承諾情報受信手段が、前記通報承諾情報を受信した場合、
前記通報情報送信手段は、前記予め登録された通報先に、前記通報情報を送信することを特徴とする、振込処理装置。
【請求項２】
前記顔情報判定手段において、前記振込依頼人の顔情報と前記振込名義人の顔情報とが一致すると判定された場合、予め登録された振込承諾先に、前記振込情報と、振込処理の実行を承諾するかを確認する振込承諾確認情報とを送信する振込承諾確認情報送信手段、および
前記振込処理の実行を承諾する振込承諾情報を受信する振込承諾情報受信手段を含み、
前記振込承諾情報受信手段において、前記振込承諾情報を受信した場合、
前記振込処理手段において、前記振込処理を実行する、請求項１記載の振込処理装置。
【請求項３】
振込依頼人の顔情報を取得する顔情報取得手段と、
振込名義人情報および受取人情報を含む振込情報を取得する振込情報取得手段と、
前記振込名義人情報に関連付けられた振込名義人の顔情報を取得する振込名義人顔情報取得手段と、
前記振込依頼人の顔情報と前記振込名義人の顔情報とが一致するかを判定する顔情報判定手段と、
前記受取人情報に関連付けられた受取人の顔情報を取得する受取人顔情報取得手段と、
前記振込依頼人の振込手続先に、前記受取人の顔情報を送信する受取人顔情報送信手段と、
予め登録された振込承諾先に、前記振込情報と、振込処理の実行を承諾するかを確認する振込承諾確認情報と、前記受取人の顔情報とを送信する振込承諾確認情報送信手段と、
前記振込処理の実行を承諾する振込承諾情報を受信する振込承諾情報受信手段と、
前記振込情報に基づき、振込処理を実行する振込処理手段とを備え、
前記顔情報判定手段において、前記振込依頼人の顔情報と前記振込名義人の顔情報とが一致すると判定された場合、
前記振込承諾確認情報送信手段は、前記予め登録された振込承諾先に、前記振込情報と、前記振込承諾確認情報と、前記受取人の顔情報とを送信し、
前記振込承諾情報受信手段において、前記振込承諾情報を受信した場合、
前記振込処理手段において、前記振込処理を実行することを特徴とする、振込処理装置。
【請求項４】
前記予め登録された振込承諾先が、前記振込名義人の家族、監督人、補佐人、後見人、および代理人の連絡先からなる群から選択された少なくとも１つである、請求項１から３のいずれか一項に記載の振込処理装置。
【請求項５】
前記顔情報判定手段において、前記振込依頼人の顔情報と前記振込名義人の顔情報とが一致しないと判定された場合、
予め登録された通報先に、前記振込依頼人と前記振込名義人とが異なることを示す通報情報を送信する通報情報送信手段を含む、請求項１から４のいずれか一項に記載の振込処理装置。
【請求項６】
前記振込情報が、前記振込依頼人の振込手続先の位置情報を含み、
前記通報情報送信手段において、前記振込依頼人の振込手続先の位置情報を送信する、請求項１、２または５記載の振込処理装置。
【請求項７】
前記予め登録された通報先が、金融機関、警備会社、および警察からなる群から選択された少なくとも１つである、請求項１、２、５または６記載の振込処理装置。
【請求項８】
前記受取人情報に関連付けられた受取人の顔情報を取得する受取人顔情報取得手段、および
前記振込依頼人の振込手続先に、前記受取人の顔情報を送信する受取人顔情報送信手段を含む、請求項１または２記載の振込処理装置。
【請求項９】
前記振込依頼人の振込手続先に、前記受取人が正しいかを確認する受取人確認情報を送信する受取人確認情報送信手段、および
前記受取人が正しいことを確認した振込確認情報を受信する振込確認情報受信手段を含み、
前記振込確認情報受信手段において、前記振込確認情報を受信した場合、
前記顔情報判定手段において、前記振込依頼人の顔情報と前記振込名義人の顔情報とが一致するかを判定する、請求項３または８記載の振込処理装置。
【請求項１０】
振込依頼人の顔情報を取得する顔情報取得工程と、
振込名義人情報および受取人情報を含む振込情報を取得する振込情報取得工程と、
前記振込名義人情報に関連付けられた振込名義人の顔情報を取得する振込名義人顔情報取得工程と、
前記振込依頼人の顔情報と前記振込名義人の顔情報とが一致するかを判定する顔情報判定工程と、予め登録された振込承諾先に、前記振込依頼人と前記振込名義人とが異なることを示す通報情報を送信するかを確認する通報確認情報を送信する通報確認情報送信工程と、
前記通報情報の送信を承諾する通報承諾情報を受信する通報承諾情報受信工程と、
前記振込情報に基づき、振込処理を実行する振込処理工程と、
予め登録された通報先に、前記通報情報を送信する通報情報送信工程とを備え、
前記顔情報判定工程において、前記振込依頼人の顔情報と前記振込名義人の顔情報とが一致しないと判定された場合、
前記通報確認情報送信工程は、前記予め登録された振込承諾先に、前記通報情報を送信するかを確認する通報確認情報を送信し、
前記通報承諾情報受信工程が、前記通報承諾情報を受信した場合、
前記通報情報送信工程は、前記予め登録された通報先に、前記通報情報を送信し、
前記各工程が、コンピュータにより実行されることを特徴とする、振込処理方法。
【請求項１１】
前記顔情報判定工程において、前記振込依頼人の顔情報と前記振込名義人の顔情報とが一致すると判定された場合、予め登録された振込承諾先に、前記振込情報と、振込処理の実行を承諾するかを確認する振込承諾確認情報とを送信する振込承諾確認情報送信工程、および
前記振込処理の実行を承諾する振込承諾情報を受信する振込承諾情報受信工程を含み、
前記振込承諾情報受信工程が前記振込承諾情報を受信した場合、
前記振込処理工程において、前記振込処理を実行する、請求項１０記載の振込処理方法。
【請求項１２】
振込依頼人の顔情報を取得する顔情報取得工程と、
振込名義人情報および受取人情報を含む振込情報を取得する振込情報取得工程と、
前記振込名義人情報に関連付けられた振込名義人の顔情報を取得する振込名義人顔情報取得工程と、
前記振込依頼人の顔情報と前記振込名義人の顔情報とが一致するかを判定する顔情報判定工程と、
前記受取人情報に関連付けられた受取人の顔情報を取得する受取人顔情報取得工程と、
前記振込依頼人の振込手続先に、前記受取人の顔情報を送信する受取人顔情報送信工程と、
予め登録された振込承諾先に、前記振込情報と、振込処理の実行を承諾するかを確認する振込承諾確認情報と、前記受取人の顔情報とを送信する振込承諾確認情報送信工程と、
前記振込処理の実行を承諾する振込承諾情報を受信する振込承諾情報受信工程と、
前記振込情報に基づき、振込処理を実行する振込処理工程とを備え、
前記顔情報判定工程において、前記振込依頼人の顔情報と前記振込名義人の顔情報とが一致すると判定された場合、
前記振込承諾確認情報送信工程は、前記予め登録された振込承諾先に、前記振込情報と、前記振込承諾確認情報と、前記受取人の顔情報とを送信し、
前記振込承諾情報受信工程において、前記振込承諾情報を受信した場合、
前記振込処理工程において、前記振込処理を実行し、
前記各工程が、コンピュータにより実行されることを特徴とする、振込処理方法。
【請求項１３】
前記予め登録された振込承諾先が、前記振込名義人の家族、監督人、補佐人、後見人、および代理人の連絡先からなる群から選択された少なくとも１つである、請求項１０から１２のいずれか一項に記載の振込処理方法。
【請求項１４】
前記顔情報判定工程において、前記振込依頼人の顔情報と前記振込名義人の顔情報とが一致しないと判定された場合、
予め登録された通報先に、前記振込依頼人と前記振込名義人とが異なることを示す通報情報を送信する通報情報送信工程を含む、請求項１０から１３のいずれか一項に記載の振込処理方法。
【請求項１５】
前記振込情報が、前記振込依頼人の振込手続先の位置情報を含み、
前記通報情報送信工程において、前記振込依頼人の振込手続先の位置情報を送信する、請求項１０、１１または１４記載の振込処理方法。
【請求項１６】
前記予め登録された通報先が、金融機関、警備会社、および警察からなる群から選択された少なくとも１つである、請求項１０、１１、１４または１５記載の振込処理方法。
【請求項１７】
前記受取人情報に関連付けられた受取人の顔情報を取得する受取人顔情報取得工程、および
前記振込依頼人の振込手続先に、前記受取人の顔情報を送信する受取人顔情報送信工程を含む、請求項１０または１１記載の振込処理方法。
【請求項１８】
前記振込依頼人の振込手続先に、前記受取人が正しいかを確認する受取人確認情報を送信する受取人確認情報送信工程、および
前記受取人が正しいことを確認した振込確認情報を受信する振込確認情報受信工程を含み、
前記振込確認情報受信工程において、前記振込確認情報を受信した場合、
前記顔情報判定工程において、前記振込依頼人の顔情報と前記振込名義人の顔情報とが一致するかを判定する、請求項１２または１７記載の振込処理方法。
【請求項１９】
請求項１０から１８のいずれか一項に記載の振込処理方法の各工程をコンピュータに実行させるためのプログラム。
【請求項２０】
請求項１９記載のプログラムを記録していることを特徴とする、コンピュータ読み取り可能な記録媒体。
【請求項２１】
端末とサーバとを含み、
前記端末と前記サーバとは、システム外の通信回線網を介して、接続可能であり、
前記端末は、
振込依頼人の顔情報、ならびに振込名義人情報および受取人情報を含む振込情報を入力する入力手段を含み、
前記サーバは、
振込依頼人の顔情報を取得する顔情報取得手段と、
振込名義人情報および受取人情報を含む振込情報を取得する振込情報取得手段と、
前記振込名義人情報に関連付けられた振込名義人の顔情報を取得する振込名義人顔情報取得手段と、
前記振込依頼人の顔情報と前記振込名義人の顔情報とが一致するかを判定する顔情報判定手段と、予め登録された振込承諾先に、前記振込依頼人と前記振込名義人とが異なることを示す通報情報を送信するかを確認する通報確認情報を送信する通報確認情報送信手段と、
前記通報情報の送信を承諾する通報承諾情報を受信する通報承諾情報受信手段と、
前記振込情報に基づき、振込処理を実行する振込処理手段と、
予め登録された通報先に、前記通報情報を送信する通報情報送信手段とを備え、
前記顔情報判定手段において、前記振込依頼人の顔情報と前記振込名義人の顔情報とが一致しないと判定された場合、
前記通報確認情報送信手段は、前記予め登録された振込承諾先に、前記通報情報を送信するかを確認する通報確認情報を送信し、
前記通報承諾情報受信手段が、前記通報承諾情報を受信した場合、
前記通報情報送信手段は、前記予め登録された通報先に、前記通報情報を送信する
ことを特徴とする、振込処理システム。
【請求項２２】
端末とサーバとを含み、
前記端末と前記サーバとは、システム外の通信回線網を介して、接続可能であり、
前記端末は、
振込依頼人の顔情報、ならびに振込名義人情報および受取人情報を含む振込情報を入力する入力手段を含み、
前記サーバは、
振込依頼人の顔情報を取得する顔情報取得手段と、
振込名義人情報および受取人情報を含む振込情報を取得する振込情報取得手段と、
前記振込名義人情報に関連付けられた振込名義人の顔情報を取得する振込名義人顔情報取得手段と、
前記振込依頼人の顔情報と前記振込名義人の顔情報とが一致するかを判定する顔情報判定手段と、
前記受取人情報に関連付けられた受取人の顔情報を取得する受取人顔情報取得手段と、
前記振込依頼人の振込手続先に、前記受取人の顔情報を送信する受取人顔情報送信手段と、
予め登録された振込承諾先に、前記振込情報と、振込処理の実行を承諾するかを確認する振込承諾確認情報と、前記受取人の顔情報とを送信する振込承諾確認情報送信手段と、
前記振込処理の実行を承諾する振込承諾情報を受信する振込承諾情報受信手段と、
前記振込情報に基づき、振込処理を実行する振込処理手段とを備え、
前記顔情報判定手段において、前記振込依頼人の顔情報と前記振込名義人の顔情報とが一致すると判定された場合、
前記振込承諾確認情報送信手段は、前記予め登録された振込承諾先に、前記振込情報と、前記振込承諾確認情報と、前記受取人の顔情報とを送信し、
前記振込承諾情報受信手段において、前記振込承諾情報を受信した場合、
前記振込処理手段において、前記振込処理を実行することを特徴とする、振込処理システム。
【発明の詳細な説明】
【技術分野】
【０００１】
本発明は、振込処理装置、振込処理方法、プログラム、記録媒体、および振込処理システムに関する。
【背景技術】
【０００２】
近年、いわゆるオレオレ詐欺、架空請求詐欺、融資保証金詐欺、還付金詐欺等の振り込め詐欺が増加している（非特許文献１）。また、銀行窓口等における振り込め詐欺対策が行なわれていることからから、犯人が被害者からキャッシュカード等を受け取り、犯人が直接金銭を引き出すまたは振り込む手交型の詐欺も増加している。
【先行技術文献】
【非特許文献】
【０００３】
【非特許文献１】警視庁、“特殊詐欺被害認知状況(平成27年12月末時点)”、［online］、［平成２８年３月８日検索］、インターネット<http://www.keishicho.metro.tokyo.jp/han_furikome/1_top.htm>
【発明の概要】
【発明が解決しようとする課題】
【０００４】
手交型の詐欺において、前記犯人が振込を行なう場合、前記犯人が、前記被害者が設定しているキャッシュカード等のパスワードを前記被害者から聞き出すことで、前記振込処理前の本人認証をクリアできる。そして、本人認証をクリアした場合、前記振込処理を実施する銀行等の金融機関は、前記振込処理を実行する時点では、前記振込処理が振り込め詐欺の犯人によるものであるのか、否かが不明という問題があった。
【０００５】
そこで、本発明は、例えば、振り込め詐欺を抑止可能な、新たな振込処理装置、振込処理方法、プログラム、記録媒体、および振込処理システムを提供することを目的とする。
【課題を解決するための手段】
【０００６】
本発明の振込処理装置は、振込依頼人の顔情報を取得する顔情報取得手段、
振込名義人情報および受取人情報を含む振込情報を取得する振込情報取得手段、
前記振込名義人情報に関連付けられた振込名義人の顔情報を取得する振込名義人顔情報取得手段、
前記振込依頼人の顔情報と前記振込名義人の顔情報とが一致するかを判定する顔情報判定手段、および
前記振込情報に基づき、振込処理を実行する振込処理手段を含み、
前記顔情報判定手段において、前記振込依頼人の顔情報と前記振込名義人の顔情報とが一致すると判定された場合、
前記振込処理手段において、前記振込処理を実行することを特徴とする。
【０００７】
本発明の振込処理方法は、振込依頼人の顔情報を取得する顔情報取得工程、
振込名義人情報および受取人情報を含む振込情報を取得する振込情報取得工程、
前記振込名義人情報に関連付けられた振込名義人の顔情報を取得する振込名義人顔情報取得工程、
前記振込依頼人の顔情報と前記振込名義人の顔情報とが一致するかを判定する顔情報判定工程、および
前記振込情報に基づき、振込処理を実行する振込処理工程を含み、
前記顔情報判定工程において、前記振込依頼人の顔情報と前記振込名義人の顔情報とが一致すると判定された場合、
前記振込処理工程において、前記振込処理を実行することを特徴とする。
【０００８】
本発明のプログラムは、前記本発明の振込処理方法をコンピュータ上で実行可能なことを特徴とする。
【０００９】
本発明のコンピュータ読み取り可能な記録媒体は、前記本発明のプログラムを記録していることを特徴とする。
【００１０】
本発明の振込処理システムは、端末とサーバとを含み、
前記端末と前記サーバとは、システム外の通信回線網を介して、接続可能であり、
前記端末は、
振込依頼人の顔情報、ならびに振込名義人情報および受取人情報を含む振込情報を入力する入力手段を含み、
前記サーバは、
前記振込依頼人の顔情報を取得する顔情報取得手段、
前記振込名義人情報および前記受取人情報を含む前記振込情報を取得する振込情報取得手段、
前記振込名義人情報に関連付けられた振込名義人の顔情報を取得する振込名義人顔情報取得手段、
前記振込依頼人の顔情報と前記振込名義人の顔情報とが一致するかを判定する顔情報判定手段、および
前記振込情報に基づき、振込処理を実行する振込処理手段を含み、
前記顔情報判定手段において、前記振込依頼人の顔情報と前記振込名義人の顔情報とが一致すると判定された場合、
前記振込処理手段において、前記振込処理を実行することを特徴とする。
【発明の効果】
【００１１】
本発明によれば、例えば、振り込め詐欺を抑止できる。
【図面の簡単な説明】
【００１２】
【図１】図１は、本発明の振込処理装置の一例（実施形態１）を示すブロック図である。
【図２】図２は、本発明の振込処理装置の一例（実施形態１）を示すブロック図である。
【図３】図３は、本発明の振込処理方法の一例（実施形態１）を示すフローチャートである。
【図４】図４は、本発明の振込処理装置の一例（実施形態２）を示すブロック図である。
【図５】図５は、本発明の振込処理方法の一例（実施形態２）を示すフローチャートである。
【図６】図６は、本発明の振込処理システムの一例（実施形態４）を示すブロック図である。
【発明を実施するための形態】
【００１３】
本発明の振込処理装置は、例えば、前記顔情報判定手段において、前記振込依頼人の顔情報と前記振込名義人の顔情報とが一致すると判定された場合、予め登録された振込承諾先に、前記振込情報と、振込処理の実行を承諾するかを確認する振込承諾確認情報とを送信する振込承諾確認情報送信手段、および
前記振込処理の実行を承諾する振込承諾情報を受信する振込承諾情報受信手段を含み、
前記振込承諾情報受信手段において前記振込承諾情報を受信した場合、
前記振込処理手段において、前記振込処理を実行する。
【００１４】
本発明の振込処理装置は、例えば、前記予め登録された振込承諾先が、前記振込名義人の家族、監督人、補佐人、後見人、および代理人の連絡先からなる群から選択された少なくとも１つである。
【００１５】
本発明の振込処理装置は、例えば、前記顔情報判定手段において、前記振込依頼人の顔情報と前記振込名義人の顔情報とが一致しないと判定された場合、
予め登録された通報先に、前記振込依頼人と前記振込名義人とが異なることを示す通報情報を送信する通報情報送信手段を含む。
【００１６】
本発明の振込処理装置は、例えば、前記振込情報が、前記振込依頼人の振込手続先の位置情報を含み、
前記通報情報送信手段において、前記振込依頼人の振込手続先の位置情報を送信する。
【００１７】
本発明の振込処理装置は、例えば、前記予め登録された通報先が、金融機関、警備会社、および警察からなる群から選択された少なくとも１つである。
【００１８】
本発明の振込処理装置は、例えば、前記受取人情報に関連付けられた受取人の顔情報を取得する受取人顔情報取得手段、および
前記振込依頼人の振込手続先に、前記受取人の顔情報を送信する受取人顔情報送信手段を含む。
【００１９】
本発明の振込処理装置は、例えば、前記振込依頼人の振込手続先に、前記受取人が正しいかを確認する受取人確認情報を送信する受取人確認情報送信手段、および
前記受取人が正しいことを確認した振込確認情報を受信する振込確認情報受信手段を含み、
前記振込確認情報受信手段において、前記振込確認情報を受信した場合、
前記顔情報判定手段において、前記振込依頼人の顔情報と前記振込名義人の顔情報とが一致するかを判定する。
【００２０】
本発明の振込処理方法は、例えば、前記顔情報判定工程において、前記振込依頼人の顔情報と前記振込名義人の顔情報とが一致すると判定された場合、予め登録された振込承諾先に、前記振込情報と、振込処理の実行を承諾するかを確認する振込承諾確認情報とを送信する振込承諾確認情報送信工程、および
前記振込処理の実行を承諾する振込承諾情報を受信する振込承諾情報受信工程を含み、
前記振込承諾情報受信工程が前記振込承諾情報を受信した場合、
前記振込処理工程において、前記振込処理を実行する。
【００２１】
本発明の振込処理方法は、例えば、前記予め登録された振込承諾先が、前記振込名義人の家族、監督人、補佐人、後見人、および代理人の連絡先からなる群から選択された少なくとも１つである。
【００２２】
本発明の振込処理方法は、例えば、前記顔情報判定工程において、前記振込依頼人の顔情報と前記振込名義人の顔情報とが一致しないと判定された場合、
予め登録された通報先に、前記振込依頼人と前記振込名義人とが異なることを示す通報情報を送信する通報情報送信工程を含む。
【００２３】
本発明の振込処理方法は、例えば、前記振込情報が、前記振込依頼人の振込手続先の位置情報を含み、
前記通報情報送信工程において、前記振込依頼人の振込手続先の位置情報を送信する。
【００２４】
本発明の振込処理方法は、例えば、前記予め登録された通報先が、金融機関、警備会社、および警察からなる群から選択された少なくとも１つである。
【００２５】
本発明の振込処理方法は、例えば、前記受取人情報に関連付けられた受取人の顔情報を取得する受取人顔情報取得工程、および
前記振込依頼人の振込手続先に、前記受取人の顔情報を送信する受取人顔情報送信工程を含む。
【００２６】
本発明の振込処理方法は、例えば、前記振込依頼人の振込手続先に、前記受取人が正しいかを確認する受取人確認情報を送信する受取人確認情報送信工程、および
前記受取人が正しいことを確認した振込確認情報を受信する振込確認情報受信工程を含み、
前記振込確認情報受信工程において、前記振込確認情報を受信した場合、
前記顔情報判定工程において、前記振込依頼人の顔情報と前記振込名義人の顔情報とが一致するかを判定する。
【００２７】
つぎに、本発明の実施形態について説明する。なお、本発明は、下記の実施形態によって何ら限定および制限されない。なお、以下の図１から図６において、同一部分には、同一符号を付している。また、各実施形態の説明は、特に言及がない限り、互いの説明を援用できる。さらに、各実施形態の構成は、特に言及がない限り、組合せ可能である。
【００２８】
［実施形態１］
実施形態１は、本発明の振込処理装置および振込処理方法に関する。
【００２９】
図１に、本実施形態における振込処理装置のブロック図を示す。図１に示すように、本実施形態の振込処理装置１０は、顔情報取得手段１１１、振込情報取得手段１１２、振込名義人顔情報取得手段１１３、顔情報判定手段１１４、および振込処理手段１１５を含む。顔情報取得手段１１１、振込情報取得手段１１２、振込名義人顔情報取得手段１１３、顔情報判定手段１１４、および振込処理手段１１５は、例えば、図１に示すように、ハードウェアであるデータ処理手段（データ処理装置）１１に組み込まれてもよく、ソフトウェアまたは前記ソフトウェアが組み込まれたハードウェアでもよい。データ処理手段１１は、中央演算装置（ＣＰＵ）等を備えてもよい。本実施形態の振込処理装置１０は、顔情報取得手段１１１は、顔情報判定手段１１４に、振込情報取得手段１１２は、振込名義人顔情報取得手段１１３および振込処理手段１１５に、振込名義人顔情報取得手段１１３は、顔情報判定手段１１４に、顔情報判定手段１１４は、振込処理手段１１５に、それぞれ、電気的に接続されている。
【００３０】
顔情報取得手段１１１は、振込依頼人の顔情報を取得する。顔情報取得手段１１１は、例えば、後述するＡＴＭ等の入力手段により入力され、前記入力手段から送信された前記振込依頼人の顔情報を受信することにより、前記振込依頼人の顔情報を取得する。前記振込依頼人は、例えば、振込処理を依頼した人であり、具体例として、現金自動預払機（ＡＴＭ）の操作人、ネットバンキングの操作人、金融機関の店頭での振込依頼人等があげられる。前記顔情報は、顔に関する情報であり、例えば、１以上の顔画像、前記１以上の顔画像における、鼻、口等の特徴点の距離の比等の情報、前記特徴点を結んだ線の向き等の特徴量の情報等があげられる。前記顔画像は、例えば、顔の一部の画像でもよいし、顔全体の画像でもよいが、好ましくは、後者である。また、前記顔画像は、例えば、顔以外の領域を含んでもよく、頭部の画像、上半身の画像、全身の画像等でもよい。顔情報取得手段１１１は、例えば、１種類の顔情報を取得してもよいし、２種類以上の顔情報を取得してもよい。
【００３１】
振込情報取得手段１１２は、振込名義人情報および受取人情報を含む振込情報を取得する。振込情報取得手段１１２は、例えば、後述するＡＴＭ等の入力手段により入力され、前記入力手段から送信された前記振込情報を受信することにより、前記振込情報を取得する。振込情報取得手段１１２は、例えば、前記振込情報が含む各情報を、同時に取得してもよいし、別個に取得してもよい。前記振込名義人は、例えば、振込元口座の名義人である。前記振込名義人情報は、例えば、前記振込名義人の口座がある金融機関の情報、前記振込名義人の口座番号、氏名等があげられる。前記受取人は、例えば、振込先口座の名義人である。前記受取人情報は、例えば、前記受取人の口座がある金融機関の情報、前記受取人の口座番号、氏名等があげられる。前記振込情報は、振込名義人情報および受取人情報を含む。前記振込情報は、例えば、その他の情報を含んでもよい。前記その他の情報は、例えば、振込金額情報、振込日時情報、振込依頼人の振込手続先の位置情報等があげられる。
【００３２】
振込名義人顔情報取得手段１１３は、前記振込名義人情報に関連付けられた振込名義人の顔情報を取得する。前記振込名義人の顔情報は、例えば、予め記憶された振込名義人の顔情報であり、好ましくは、予め記憶された振込名義人の顔画像である。前記振込名義人の顔情報は、例えば、振込処理装置１０内または外のデータ記憶手段に記憶されている。
【００３３】
顔情報判定手段１１４は、前記振込依頼人の顔情報と前記振込名義人の顔情報とが一致するかを判定する。顔情報取得手段１１１は、例えば、前記振込依頼人の顔情報と前記振込名義人の顔情報とが一致するかを判定してもよいし、前記振込依頼人の顔情報と前記振込名義人の顔情報とが一致しないかを判定してもよいし、前記振込依頼人の顔情報と前記振込名義人の顔情報とが一致するか否かを判定してもよい。
【００３４】
振込処理手段１１５は、前記顔情報判定手段において、前記振込依頼人の顔情報と前記振込名義人の顔情報とが一致すると判定された場合、前記振込処理を実行する。前記振込処理は、例えば、前記振込元口座の口座残高から、振込金額および振込手数料を減額し、前記振込先口座に前記振込金額を送信する処理である。振込処理手段１１５は、例えば、さらに、前記振込名義人であることを確認できる名義人確認情報と、前記振込名義人情報に関連付けられた登録振込名義人確認情報とが一致する場合、前記振込処理を実行してもよい。前記名義人確認情報は、例えば、パスワード、生体情報等があげられる。前記登録振込名義人確認情報は、例えば、予め登録された振込名義人確認情報である。前記登録振込名義人確認情報は、例えば、振込処理装置１０内または外のデータ記憶手段に記憶されている。
【００３５】
本実施形態の振込処理装置において、前記振込依頼人の顔情報、前記振込情報、前記振込名義人顔情報、顔情報の判定結果、および振込処理の結果は、それぞれ、顔情報取得手段１１１、振込情報取得手段１１２、振込名義人顔情報取得手段１１３、顔情報判定手段１１４、および振込処理手段１１５に記憶されている。本発明はこれに限定されず、データ記憶手段に各情報および結果が記憶され、つぎの手段が、前記データ記憶手段から前記情報および結果の少なくとも一方を読み出してもよい。
【００３６】
図２に、前記データ記憶手段を含む振込処理装置の一例を示すブロック図を示す。図２に示すように、前記データ記憶手段を含む振込処理装置２０は、さらに、顔情報記憶部１２１、振込情報記憶部１２２、振込名義人顔情報記憶部１２３、顔判定記憶部１２４、および振込処理記憶部１２５を含む。図２に示すように、顔情報記憶部１２１、振込情報記憶部１２２、振込名義人顔情報記憶部１２３、顔判定記憶部１２４、および振込処理記憶部１２５は、ハードウェアであるデータ記憶手段１２に組み込まれてもよい。データ記憶手段１２は、例えば、ランダムアクセスメモリ（ＲＡＭ）、読み出し専用メモリ（ＲＯＭ）、フラッシュメモリー、ハードディスク（ＨＤ）、光ディスク、フロッピー（登録商標）ディスク（ＦＤ）等があげられる。前記データ記憶手段は、装置内蔵型であってもよいし、外部記憶装置のような外付け型であってもよい。振込処理装置２０において、顔情報取得手段１１１は、顔情報記憶部１２１に、振込情報取得手段１１２は、振込情報記憶部１２２に、振込名義人顔情報取得手段１１３は、振込情報記憶部１２２および振込名義人顔情報記憶部１２３に、顔情報判定手段１１４は、顔情報記憶部１２１、振込名義人顔情報記憶部１２３、および顔判定記憶部１２４に、振込処理手段１１５は、振込情報記憶部１２２、顔判定記憶部１２４、および振込処理記憶部１２５に、それぞれ、電気的に接続されている。
【００３７】
本実施形態の振込処理装置２０において、顔情報取得手段１１１は、取得した前記振込依頼人の顔情報を顔情報記憶部１２１に記憶し、振込情報取得手段１１２は、取得した前記振込情報を振込情報記憶部１２２に記憶し、振込名義人顔情報取得手段１１３は、取得した前記振込名義人の顔情報を振込名義人顔情報記憶部１２３に記憶し、顔情報判定手段１１４は、判定した顔情報の判定結果を顔判定記憶部１２４に、振込処理手段１１５は、振込処理の結果（例えば、振込処理の実行または未実行）を振込処理記憶部１２５に記憶する。この点を除き、本実施形態の振込処理装置２０は、振込処理装置１０と同様の構成を有し、その説明を援用できる。
【００３８】
本実施形態の振込処理装置は、さらに、前記振込処理装置外の前記振込依頼人の顔情報および前記振込情報を入力する入力手段および前記振込処理結果を出力する出力手段のいずれか一方または両方に接続可能であってもよい。前記接続は、例えば、電気的接続でもよいし、通信回線網を介した接続でもよい。前記通信回線は、例えば、有線回線でもよいし、無線回線でもよい。前記入力手段および前記出力手段と接続されている場合、図２に示すように、本実施形態の振込処理装置２０は、入力手段１３は、顔情報取得手段１１１および振込情報取得手段１１２に接続されている。出力手段１４は、振込処理手段１１５および振込処理記憶部１２５の少なくとも一方に接続されている。入力手段１３は、例えば、前記振込依頼人の顔画像を取得する撮像手段と、磁気カード、ＩＣカード等のカード読み取り手段、タッチパネル等のモニター、操作キー等の携帯端末に備わる通常の入力手段、キーボード、マウス等のコンピュータに備わる通常の入力手段との組合せがあげられる。前記撮像手段は、例えば、スチルカメラ、ビデオカメラ、カメラ付携帯電話、カメラ付スマートフォン、カメラ付タブレット端末等のカメラ付携帯端末、ウェブカメラ付きのコンピュータ、カメラ付きのヘッドマウントディスプレイ等があげられる。具体例として、入力手段１３は、例えば、ＡＴＭ、カメラ付スマートフォン、カメラ付タブレット、カメラ付携帯電話等の携帯端末、カメラ付コンピュータ等があげられる。出力手段１４は、例えば、映像により出力するモニター（例えば、液晶ディスプレイ（ＬＣＤ）、ブラウン管（ＣＲＴ）ディスプレイ等の各種画像表示装置等）、印刷により出力するプリンター、音声により出力するスピーカー等があげられる。
【００３９】
つぎに、図３に、本実施形態における振込処理方法のフローチャートを示す。本実施形態の振込処理方法は、例えば、図１の振込処理装置を用いて、つぎのように実施する。図３に示すように、本実施形態の振込処理方法は、Ａ１ステップ（顔情報取得）、Ａ２ステップ（振込情報取得）、Ａ３ステップ（振込名義人顔情報取得）、Ａ４ステップ（顔情報判定）、およびＡ５ステップ（振込処理）を含む。本実施形態の振込処理方法は、前記Ａ１ステップ、前記Ａ２ステップ、前記Ａ３ステップ、前記Ａ４ステップ、および前記Ａ５ステップをこの順序で実施しているが、本発明の振込処理方法は、この順序に制限されず、例えば、前記Ａ４ステップに先立ち、前記Ａ１〜Ａ３ステップを実施し、前記Ａ３ステップに先立ち、前記Ａ２ステップを実施すればよい。また、前記Ａ１ステップおよび前記Ａ２ステップは、例えば、並行して実施してもよい。
【００４０】
（Ａ１）顔情報取得
前記Ａ１ステップでは、振込依頼人の顔情報を取得する。前記Ａ１ステップでは、例えば、前記入力手段により入力された顔画像、それから得られた特徴点、特徴量等の前記振込依頼人の顔情報を取得する。
【００４１】
（Ａ２）振込情報取得
前記Ａ２ステップでは、振込名義人情報および受取人情報を含む振込情報を取得する。前記Ａ２ステップでは、例えば、前記入力手段により入力された前記振込名義人の口座がある金融機関の情報、前記振込名義人の口座番号、氏名等の前記振込名義人情報および前記受取人の口座がある金融機関の情報、前記受取人の口座番号、氏名等の前記受取人情報を含む振込情報を取得する。前記振込情報は、例えば、前記振込金額の情報を含んでもよい。
【００４２】
（Ａ３）振込名義人顔情報取得
前記Ａ３ステップでは、前記振込名義人情報に関連付けられた振込名義人の顔情報を取得する。前記Ａ３ステップでは、例えば、前記振込名義人情報に基づき、前記振込名義人の顔情報が記憶されたデータ記憶手段から、前記振込名義人情報に関連付けられた振込名義人の顔情報を取得する。前記振込名義人の顔情報が振込処理装置１０外のデータ記憶手段に記憶されている場合、前記Ａ３ステップでは、例えば、前記データ記憶手段から出力された前記振込名義人の顔情報を取得する。
【００４３】
（Ａ４）顔情報判定
前記Ａ４ステップでは、前記振込依頼人の顔情報と前記振込名義人の顔情報とが一致するかを判定する。前記Ａ４ステップにおける判定方法は、特に制限されず、例えば、従来公知の顔認証方法があげられ、具体例として、前記振込依頼人の顔画像と前記振込名義人の顔画像との類似度計算による方法、前記顔画像における目、鼻、口等の特徴点の距離の比や、前記特徴点を結んだ線の向き等の特徴量を用いる方法等があげられる。
【００４４】
（Ａ５）振込処理
前記Ａ５ステップでは、前記Ａ４ステップにおいて、前記振込依頼人の顔情報と前記振込名義人の顔情報とが一致すると判定された場合、前記振込情報に基づき、振込処理を実行する。前記Ａ５ステップでは、例えば、前記振込名義人情報および前記振込金額の情報に基づき、前記振込元口座の口座残高から、振込金額および振込手数料を減額し、そして、前記受取人情報および前記振込金額に基づき、前記振込先口座に前記振込金額を送信する。前記Ａ５ステップでは、例えば、さらに、前記振込名義人であることを確認できる名義人確認情報と、前記振込名義人情報に関連付けられた登録振込名義人確認情報とが一致する場合、前記振込処理を実行してもよい。そして、本実施形態の振込処理方法を終了する。
【００４５】
本実施形態の振込処理装置および振込処理方法では、前記振込依頼人の顔情報と、前記振込名義人の顔情報とが一致するか判定し、一致する場合、振込処理を実行する。このため、本実施形態の振込処理装置および振込処理方法によれば、前記振込依頼人と前記振込名義人とが異なる場合、振込処理が実行されないため、手交型の振り込め詐欺を抑止できる。なお、これらの効果については、後述の実施形態においても同様である。
【００４６】
［変形例１］
変形例１は、本発明の振込処理装置および振込処理方法に関する。変形例１の振込処理装置および振込処理方法は、例えば、実施形態１の振込処理装置および振込処理方法の説明を援用できる。
【００４７】
変形例１の振込処理装置は、前記顔情報判定手段において、前記振込依頼人の顔情報と前記振込名義人の顔情報とが一致すると判定された場合、予め登録された振込承諾先に、前記振込情報と、振込処理の実行を承諾するかを確認する振込承諾確認情報とを送信する振込承諾確認情報送信手段、および前記振込処理の実行を承諾する振込承諾情報を受信する振込承諾情報受信手段を含み、前記振込承諾情報受信手段において、前記振込承諾情報を受信した場合、前記振込処理手段において、前記振込処理を実行することが好ましい。
【００４８】
前記振込承諾確認情報送信手段は、前記顔情報判定手段において、前記振込依頼人の顔情報と前記振込名義人の顔情報とが一致すると判定された場合、予め登録された振込承諾先に、前記振込情報と、振込処理の実行を承諾するかを確認する振込承諾確認情報とを送信する。前記振込承諾確認情報送信手段は、例えば、前記振込情報の全部または一部を送信する。前記振込承諾確認情報送信手段は、例えば、前記振込承諾確認情報に代えて、前記振込処理の実行を承諾するか否かを確認する情報を送信してもよいし、前記振込処理の実行を承諾しないかを確認する情報を送信してもよい。前記振込承諾確認情報送信手段は、特に制限されず、例えば、前記ＣＰＵがあげられる。前記予め登録された振込承諾先は、特に制限されず、例えば、前記振込名義人の家族、監督人、補佐人、後見人、および代理人等があげられ、具体例として、前記振込名義人の家族の連絡先、監督人の連絡先、補佐人の連絡先、後見人の連絡先、および代理人の連絡先等があげられる。前記予め登録された振込承諾先は、例えば、１箇所でもよいし、２箇所以上でもよい。前記連絡先は、例えば、電話番号、メールアドレス、ソーシャルネットワーキングサービスのアカウント等があげられる。
【００４９】
前記振込承諾情報受信手段は、前記振込処理の実行を承諾する振込承諾情報を受信する。前記振込承諾情報受信手段は、例えば、前記振込承諾確認情報送信手段において、前記振込処理の実行を承諾するか否かを確認する情報を送信する場合、前記振込処理の実行を承諾するまたは承諾しない情報を受信してもよい。また、前記振込承諾情報受信手段は、例えば、前記振込承諾確認情報送信手段において、前記振込処理の実行を承諾しないかを確認する情報を送信する場合、前記振込処理の実行を承諾しない情報を受信してもよい。前記振込承諾情報受信手段は、特に制限されず、例えば、前記ＣＰＵがあげられる。
【００５０】
変形例１の振込処理方法は、例えば、前記顔情報判定工程において、前記振込依頼人の顔情報と前記振込名義人の顔情報とが一致すると判定された場合、予め登録された振込承諾先に、前記振込情報と、前記振込処理の実行を承諾するかを確認する振込承諾確認情報とを送信する振込承諾確認情報送信工程、および前記振込処理の実行を承諾する振込承諾情報を受信する振込承諾情報受信工程を含み、前記振込承諾情報受信工程が前記振込承諾情報を受信した場合、前記振込処理工程において、前記振込処理を実行することが好ましい。
【００５１】
前記振込承諾確認情報送信工程では、前記顔情報判定工程において、前記振込依頼人の顔情報と前記振込名義人の顔情報とが一致すると判定された場合、予め登録された振込承諾先に、前記振込情報と、前記振込処理の実行を承諾するかを確認する振込承諾確認情報とを送信する。前記振込承諾確認情報送信工程では、例えば、電子メール等の通信手段により、前記予め登録された振込承諾先に、前記振込情報と前記振込承諾確認情報を、通信インターフェイスを介し送信する。前記予め登録された振込承諾先が２箇所以上の場合、前記振込承諾確認情報送信工程では、全てまたは一部の予め登録された振込承諾先に前記振込情報と、前記振込承諾確認情報とを送信する。
【００５２】
前記振込承諾情報受信工程では、前記振込処理の実行を承諾する振込承諾情報を受信する。前記振込承諾確認情報受信工程では、例えば、前記予め登録された振込承諾先から電子メール等の通信手段により送信された前記振込承諾情報を、通信インターフェイスを介し受信する。前記振込承諾確認情報送信工程において、２箇所以上の予め登録された振込承諾先に前記振込情報と、前記振込承諾確認情報とを送信した場合、前記振込承諾情報受信工程では、例えば、全てまたは一部の予め登録された振込承諾先から送信された前記振込承諾情報を受信する。この場合、前記振込処理工程では、例えば、１または２以上の前記振込承諾情報を受信した場合、前記振込処理を実行する。
【００５３】
変形例１の振込処理装置および振込処理方法では、前記予め登録された振込承諾先に前記振込情報と、前記振込処理の実行を承諾するかを確認する振込承諾確認情報を送信し、前記振込処理の実行を承諾する振込承諾情報を受信した場合、前記振込処理を実施する。このため、変形例１の振込処理装置および振込処理方法によれば、例えば、前記予め登録された振込承諾先が、前記振込処理の内容を確認でき、前記予め登録された振込承諾先が、前記振込処理を不審に思った場合、前記振込処理の実行を承諾しないことにより、前記振込処理の実行を防止できるため、振り込め詐欺を抑止できる。
【００５４】
［変形例２］
変形例２は、本発明の振込処理装置および振込処理方法に関する。変形例２の振込処理装置および振込処理方法は、例えば、実施形態１および変形例１の振込処理装置および振込処理方法の説明を援用できる。
【００５５】
変形例２の振込処理装置は、前記顔情報判定手段において、前記振込依頼人の顔情報と前記振込名義人の顔情報とが一致しないと判定された場合、予め登録された通報先に、前記振込依頼人と前記振込名義人とが異なることを示す通報情報を送信する通報情報送信手段を含む。前記予め登録された通報先は、特に制限されず、例えば、金融機関、警備会社、警察等があげられ、具体例として、金融機関の連絡先、警備会社の連絡先、警察の連絡先等があげられる。前記連絡先は、例えば、前述の通りである。前記通報情報送信手段は、例えば、前記予め登録された通報先の全部または一部に送信する。前記通報情報送信手段は、例えば、前記振込情報が、前記振込依頼人の振込手続先の位置情報を含む場合、前記振込依頼人の振込手続先の位置情報を送信してもよい。これにより、前記予め登録された通報先が、前記振込依頼人の位置を確認し、対応できるため、例えば、前記振込依頼人が前記犯人の場合、早期に身柄を確保する等の対応が可能となり、手交型の振り込め詐欺を抑止可能である。前記振込手続先の位置情報は、例えば、前記振込依頼人が振込手続を実施している場所であり、具体例として、所在地、住所、ＩＰ（Internet Protocol）アドレス等があげられる。
【００５６】
前記変形例２の振込処理装置は、例えば、前記予め登録された振込承諾先に、前記通報情報を送信するかを確認する通報確認情報を送信する通報確認情報送信手段、および前記通報情報の送信を承諾する通報承諾情報を受信する通報承諾情報受信手段を含んでもよい。この場合、前記通報情報送信手段では、前記通報承諾情報受信手段において、前記通報承諾情報を受信した場合、前記予め登録された通報先に、前記通報情報を送信する。前記変形例２の振込処理装置は、前記通報確認情報送信手段および前記通報承諾情報受信手段を含むことにより、例えば、誤って前記振込依頼人の身柄を確保する等の対応を防止できる。前記通報確認情報送信手段は、例えば、さらに、前記振込依頼人の顔画像等の前記振込依頼人の顔情報を送信してもよい。前記通報確認情報送信手段は、特に制限されず、例えば、前記ＣＰＵがあげられる。
【００５７】
前記通報確認情報送信手段では、例えば、前記通報確認情報に代えて、前記通報情報を送信するか否かを確認する情報を送信してもよいし、前記通報情報を送信しないかを確認する情報を送信してもよい。前記通報承諾情報受信手段では、例えば、前記通報確認情報送信手段において、前記通報情報を送信するか否かを確認する情報を送信する場合、前記通報情報の送信を承諾するまたは承諾しない情報を受信してもよい。また、前記通報承諾情報受信手段は、例えば、前記通報確認情報送信手段において、前記通報情報を送信しないかを確認する情報を送信する場合、前記通報情報の送信を承諾しない情報を受信してもよい。前記通報承諾情報受信手段は、特に制限されず、例えば、前記ＣＰＵがあげられる。
【００５８】
変形例２の振込処理方法は、前記顔情報判定工程において、前記振込依頼人の顔情報と前記振込名義人の顔情報とが一致しないと判定された場合、予め登録された通報先に、前記振込依頼人と前記振込名義人とが異なることを示す通報情報を送信する通報情報送信工程を含む。
【００５９】
前記通報情報送信工程では、例えば、電子メール等の通信手段により、前記予め登録された通報先に、前記通報情報を、通信インターフェイスを介し送信する。前記予め登録された通報先が２箇所以上の場合、前記通報情報送信工程では、全てまたは一部の予め登録された通報先に前記通報情報を送信する。
【００６０】
前記変形例２の振込処理方法は、例えば、前記予め登録された振込承諾先に、前記通報情報を送信するかを確認する通報確認情報を送信する通報確認情報送信工程、および前記通報情報の送信を承諾する通報承諾情報を受信する通報承諾情報受信工程を含んでもよい。この場合、前記通報情報送信工程は、前記通報承諾情報受信工程において、前記通報承諾情報を受信した場合、前記予め登録された通報先に、前記通報情報を送信する。前記変形例２の振込処理方法は、前記通報確認情報送信工程および前記通報承諾情報受信工程を含むことにより、例えば、誤って前記振込依頼人の身柄を確保する等の対応を防止できる。前記通報確認情報送信工程は、例えば、さらに、前記振込依頼人の顔画像等の前記振込依頼人の顔情報を送信してもよい。
【００６１】
前記通報確認情報送信工程では、例えば、電子メール等の通信手段により、前記予め登録された振込承諾先に、前記通報確認情報を、通信インターフェイスを介し送信する。前記予め登録された振込承諾先が２箇所以上の場合、前記通報確認情報送信工程では、全てまたは一部の予め登録された振込承諾先に前記通報確認情報を送信する。また、前記通報承諾情報受信工程では、前記予め登録された振込承諾先から電子メール等の通信手段により送信された前記通報承諾情報を、通信インターフェイスを介し受信する。前記通報確認情報送信工程において、２箇所以上の予め登録された振込承諾先に前記通報確認情報を送信した場合、前記通報承諾情報受信工程では、例えば、全てまたは一部の予め登録された振込承諾先から送信された前記通報承諾情報を受信する。この場合、前記通報情報送信工程では、例えば、１または２以上の前記振込承諾情報を受信した場合、前記予め登録された通報先に、前記通報情報を送信する。
【００６２】
変形例２の振込処理装置および振込処理方法では、前記振込依頼人の顔情報と前記振込名義人の顔情報とが一致しないと判定された場合、予め登録された通報先に、前記通報情報を送信する。このため、変形例２の振込処理装置および振込処理方法によれば、例えば、前記振込依頼人が前記振込名義人と異なる場合に、前記予め登録された通報先が、前記振込処理を実行しない、前記振込処理について、前記振込名義人等に確認する、前記振込依頼人を確保する等の対応が可能となるため、手交型の振り込め詐欺を抑止できる。
【００６３】
［変形例３］
変形例３は、本発明の振込処理装置および振込処理方法に関する。変形例３の振込処理装置および振込処理方法は、例えば、実施形態１および変形例１−２の振込処理装置および振込処理方法の説明を援用できる。
【００６４】
変形例３の振込処理装置は、例えば、前記受取人情報に関連付けられた受取人の顔情報を取得する受取人顔情報取得手段、および前記振込依頼人の振込手続先に、前記受取人の顔情報を送信する受取人顔情報送信手段を含む。
【００６５】
前記受取人の顔情報は、例えば、予め記憶された受取人の顔情報であり、好ましくは、予め記憶された受取人の顔画像である。前記受取人の顔情報は、例えば、前記変形例３の振込処理装置内または外のデータ記憶手段に記憶されている。前記振込依頼人の振込手続先は、例えば、前記振込依頼人が振込手続を行なっている場所であり、具体例として、前記振込依頼人が操作しているＡＴＭのディスプレイ、コンピュータ等のディスプレイ等の出力手段があげられる。前記受取人顔情報送信手段は、特に制限されず、例えば、前記ＣＰＵがあげられる。
【００６６】
変形例３の振込処理装置は、例えば、さらに、前記振込依頼人の振込手続先に、前記受取人が正しいかを確認する受取人確認情報を送信する受取人確認情報送信手段、および前記受取人が正しいことを確認した振込確認情報を受信する振込確認情報受信手段を含み、前記振込確認情報受信手段において、前記振込確認情報を受信した場合、前記顔情報判定手段において、前記振込依頼人の顔情報と前記振込名義人の顔情報とが一致するかを判定することが好ましい。
【００６７】
前記受取人確認情報送信手段は、前記受取人確認情報に代えて、前記受取人が正しいか否かを確認する情報を送信してもよいし、前記受取人が正しくないかを確認する情報を送信してもよい。前記振込確認情報受信手段は、例えば、前記受取人確認情報送信手段において、前記受取人が正しいか否かを確認する情報を送信する場合、前記受取人が正しいまたは正しくないことを確認した情報を受信してもよい。また、前記振込確認情報受信手段は、例えば、前記受取人確認情報送信手段において、前記受取人が正しくないかを確認する情報を送信する場合、前記受取人が正しくないことを確認した情報を受信してもよい。前記受取人確認情報送信手段および前記振込確認情報受信手段は、特に制限されず、例えば、それぞれ、前記ＣＰＵがあげられる。
【００６８】
変形例３の振込処理方法は、例えば、前記受取人情報に関連付けられた受取人の顔情報を取得する受取人顔情報取得工程、および前記振込依頼人の振込手続先に、前記受取人の顔情報を送信する受取人顔情報送信工程を含む。
【００６９】
前記受取人顔情報取得工程では、例えば、前記受取人情報に基づき、前記受取人の顔情報が記憶されたデータ記憶手段から、前記受取人情報に関連付けられた受取人の顔情報を取得する。前記受取人の顔情報が変形例３の振込処理装置外のデータ記憶手段に記憶されている場合、前記受取人顔情報取得工程では、例えば、前記データ記憶手段から出力された前記受取人の顔情報を取得する。前記受取人顔情報送信工程では、例えば、前記振込依頼人の振込手続先に、前記受取人の顔情報を、通信インターフェイスを介し送信する。
【００７０】
変形例３の振込処理方法は、例えば、さらに、前記振込依頼人の振込手続先に、前記受取人が正しいかを確認する受取人確認情報を送信する受取人確認情報送信工程、および前記受取人が正しいことを確認した振込確認情報を受信する振込確認情報受信工程を含み、前記振込確認情報受信工程において、前記振込確認情報を受信した場合、前記顔情報判定工程において、前記振込依頼人の顔情報と前記振込名義人の顔情報とが一致するかを判定することが好ましい。
【００７１】
前記受取人確認情報送信工程では、例えば、前記振込依頼人の振込手続先に、前記通報確認情報を、通信インターフェイスを介し送信する。また、前記振込確認情報受信工程では、前記振込依頼人の振込手続先から、ＡＴＭ等の入力手段により入力され、前記入力手段から送信された前記通報承諾情報を、通信インターフェイスを介し受信する。
【００７２】
変形例３の振込処理装置および振込処理方法では、前記受取人の顔情報を前記振込依頼人の振込手続先に送信する。このため、変形例３の振込処理装置および振込処理方法によれば、例えば、前記振込依頼人が前記受取人の顔情報を確認できるため、前記振込依頼人が、正しい受取人か否かを確認できる。したがって、変形例３の振込処理装置および振込処理方法によれば、例えば、正しくない受取人の場合、前記振込処理を実行しない等の対応が可能となるため、手交型以外の振り込め詐欺も抑止できる。
【００７３】
［実施形態２］
図４に、本実施形態における振込処理装置のブロック図を示す。図４に示すように、本実施形態の振込処理装置３０は、前記実施形態１の振込処理装置１０の各手段に加え、さらに、通報確認情報送信手段１１６、振込承諾確認情報送信手段１１７、通報承諾情報受信手段１１８、通報情報送信手段１１９、および振込承諾情報受信手段１３０を含む。図４に示すように、通報確認情報送信手段１１６、振込承諾確認情報送信手段１１７、通報承諾情報受信手段１１８、通報情報送信手段１１９、および振込承諾情報受信手段１３０は、データ処理手段１１に組み込まれてよい。本実施形態の振込処理装置３０において、顔情報判定手段１１４は、振込処理手段１１５に代えて、通報確認情報送信手段１１６および振込承諾確認情報送信手段１１７に、通報承諾情報受信手段１１８は、通報情報送信手段１１９に、振込承諾情報受信手段１３０は、振込処理手段１１５に電気的に接続されている。この点を除いて、本実施形態の振込処理装置は、実施形態１の振込処理装置１０と同様の構成を有し、実施形態１の振込処理装置の説明を援用できる。
【００７４】
本実施形態の振込処理装置において、前記振込依頼人の顔情報、前記振込情報、前記振込名義人顔情報、顔情報の判定結果、および振込処理の結果は、それぞれ、顔情報取得手段１１１、振込情報取得手段１１２、振込名義人顔情報取得手段１１３、顔情報判定手段１１４、および振込処理手段１１５に記憶されている。本発明はこれに限定されず、データ記憶手段に各情報および結果が記憶され、つぎの手段が、前記データ記憶手段から前記情報および結果の少なくとも一方を読み出してもよい。また、通報確認情報送信手段１１６、振込承諾確認情報送信手段１１７および通報情報送信手段１１９は、前記通報確認情報、前記振込承諾確認情報、および前記通報情報を前記データ記憶手段に記憶させることにより、送信してもよい。この場合、振込処理装置３０内または外の通信手段が、例えば、通信インターフェイスを介して、前記通報確認情報、前記振込承諾確認情報、および前記通報情報を送信してもよい。さらに、通報承諾情報受信手段１１８および振込承諾情報受信手段１３０は、例えば、振込処理装置３０内または外の通信手段により、前記通信インターフェイスを介して受信した前記通報承諾情報および前記振込承諾情報が記憶された前記データ記憶手段から、それぞれ、前記通報承諾情報および前記振込承諾情報を取得することにより、受信してもよい。
【００７５】
つぎに、図５に、本実施形態における振込処理方法のフローチャートを示す。本実施形態の振込処理方法は、例えば、図４の振込処理装置を用いて、つぎのように実施する。図５に示すように、本実施形態の振込処理方法は、Ａ１ステップ（顔情報取得）、Ａ２ステップ（振込情報取得）、Ａ３ステップ（振込名義人顔情報取得）、Ａ４’ステップ（顔情報判定）、Ａ５ステップ（振込処理）、Ａ６ステップ（通報確認情報送信）、Ａ７ステップ（通報承諾情報受信）、Ａ８ステップ（通報情報送信）、Ａ９ステップ（振込承諾確認情報送信）、およびＡ１０ステップ（振込承諾情報受信）を含む。本実施形態の振込処理方法は、前記Ａ１ステップ、前記Ａ２ステップ、前記Ａ３ステップ、前記Ａ４’ステップ、および前記Ａ５ステップの順序は、例えば、前述の説明を援用できる。図５において、図３と同じステップには、同じ符号を付している。
【００７６】
図５におけるＡ１ステップ、Ａ２ステップ、およびＡ３ステップは、実施形態１と同様に行うことができ、具体的には、前述した図３のフローチャートに従って行うことができる。
【００７７】
（Ａ４’）顔情報判定
前記Ａ４’ステップでは、前記振込依頼人の顔情報と前記振込名義人の顔情報とが一致するかを判定する。そして、Ｎｏの場合、すなわち、前記振込依頼人の顔情報と前記振込名義人の顔情報とが一致しないと判定された場合、前記Ａ６ステップに進む。他方、Ｙｅｓの場合、すなわち、前記振込依頼人の顔情報と前記振込名義人の顔情報とが一致すると判定された場合、前記Ａ９ステップに進む。
【００７８】
（Ａ６）通報確認情報送信
前記Ａ６ステップでは、前記予め登録された振込承諾先に、前記通報情報を送信するかを確認する通報確認情報を送信する。前記予め登録された振込承諾先は、例えば、１箇所でもよいし、２箇所以上でもよい。後者の場合、前記Ａ６ステップでは、全てまたは一部の予め登録された振込承諾先に前記通報確認情報を送信する。
【００７９】
（Ａ７）通報承諾情報受信
前記Ａ７ステップでは、前記通報情報の送信を承諾する通報承諾情報を受信したかを判断する。そして、Ｎｏの場合、すなわち、前記通報承諾情報を受信していない場合、前記Ａ７ステップに戻る。他方、Ｙｅｓの場合、すなわち、前記通報承諾情報を受信した場合、前記Ａ８ステップに進む。なお、前記Ａ６ステップにおいて、前記通報情報の送信を承諾するか否かを確認する情報を送信し、前記Ａ７ステップにおいて、前記通報情報の送信を承諾しない情報を受信した場合、例えば、本実施形態の振込処理方法を終了してもよい。また、前記Ａ６ステップにおいて、前記通報確認情報を送信し、前記Ａ７ステップにおいて、予め定めた時間内に前記通報承諾情報を受信しない場合、例えば、本実施形態の振込処理方法を終了してもよい。
【００８０】
（Ａ８）通報情報送信
前記Ａ８ステップでは、予め登録された通報先に、前記振込依頼人と前記振込名義人とが異なることを示す通報情報を送信する。前記予め登録された通報先は、例えば、１箇所でもよいし、２箇所以上でもよい。後者の場合、前記Ａ８ステップでは、全てまたは一部の予め登録された通報先に前記通報情報を送信する。そして、本実施形態の振込処理方法を終了する。
【００８１】
（Ａ９）振込承諾確認情報送信
前記Ａ９ステップでは、前記予め登録された振込承諾先に、前記振込情報と、前記振込処理の実行を承諾するかを確認する振込承諾確認情報とを送信する。前記予め登録された振込承諾先は、例えば、１箇所でもよいし、２箇所以上でもよい。後者の場合、前記Ａ９ステップでは、全てまたは一部の予め登録された振込承諾先に前記振込情報と、前記振込承諾確認情報とを送信する。前記Ａ９ステップでは、例えば、前記予め登録された振込承諾先に、前記受取人の顔情報を送信することが好ましい。
【００８２】
（Ａ１０）振込承諾情報受信
前記Ａ１０ステップでは、前記振込処理の実行を承諾する振込承諾情報を受信したかを判断する。そして、Ｎｏの場合、すなわち、前記振込承諾情報を受信していない場合、前記Ａ１０ステップに戻る。他方、Ｙｅｓの場合、すなわち、前記振込承諾情報を受信した場合、前記Ａ５ステップに進む。なお、前記Ａ９ステップにおいて、前記振込処理の実行を承諾するか否かを確認する情報を送信し、前記Ａ１０ステップにおいて、前記振込処理の実行を承諾しない情報を受信した場合、例えば、本実施形態の振込処理方法を終了してもよい。また、前記Ａ９ステップにおいて、前記振込承諾確認情報を送信し、前記Ａ１０ステップにおいて、予め定めた時間内に前記振込承諾情報を受信しない場合、例えば、本実施形態の振込処理方法を終了してもよい。
【００８３】
そして、Ａ５ステップでは、前記実施形態１と同様に、前記振込情報に基づき、振込処理を実行し、本実施形態の振込処理方法を終了する。
【００８４】
［実施形態３］
本実施形態のプログラムは、前述の振込処理方法を、コンピュータ上で実行可能なプログラムである。または、本実施形態のプログラムは、例えば、コンピュータ読み取り可能な記録媒体に記録されてもよい。前記記録媒体としては、特に限定されず、例えば、ランダムアクセスメモリ（ＲＡＭ）、読み出し専用メモリ（ＲＯＭ）、ハードディスク（ＨＤ）、光ディスク、フロッピー（登録商標）ディスク（ＦＤ）等があげられる。
【００８５】
［実施形態４］
図６に、本発明の振込処理装置を用いた振込処理システムの一例の構成を示す。図６に示すように、本実施形態の振込処理システムは、入力手段２０２ａ、２０２ｂ、２０２ｃと、通信インターフェイス２０１ａ、２０１ｂ、２０１ｃと、サーバ２２０とを備える。入力手段２０２ａは、通信インターフェイス２０１ａに接続されている。入力手段２０２ａおよび通信インターフェイス２０１ａは、場所Ｘに設置されている。入力手段２０２ｂは、通信インターフェイス２０１ｂに接続されている。入力手段２０２ｂおよび通信インターフェイス２０１ｂは、場所Ｙに設置されている。入力手段２０２ｃは、通信インターフェイス２０１ｃに接続されている。入力手段２０２ｃおよび通信インターフェイス２０１ｃは、場所Ｚに設置されている。そして、通信インターフェイス２０１ａ、２０１ｂ、２０１ｃと、サーバ２２０とが、通信回線網２１０を介して接続されている。
【００８６】
この振込処理システムでは、サーバ２２０側に、顔情報取得手段、振込情報取得手段、振込名義人顔情報取得手段、顔情報判定手段、および振込処理手段が格納される。例えば、場所Ｘで入力手段２０２ａを用いて入力された振込情報を、サーバ２２０に送信し、サーバ２２０側で、振込処理を実行する。
【００８７】
本実施形態の振込処理システムによれば、前述のように、振り込め詐欺を抑止できる。本実施形態の振込処理システムは、前述の実施形態２、変形例１もしくは変形例２、またはこれらの組合せに対応したものであってもよい。また、本実施形態の振込処理システムは、通信インターフェイス２０１ａ、２０１ｂ、２０１ｃと、サーバ２２０とが、無線回線を介して接続されていてもよい。
【００８８】
以上、実施形態を参照して本発明を説明したが、本発明は、上記実施形態に限定されるものではない。本発明の構成や詳細には、本発明のスコープ内で当業者が理解しうる様々な変更をできる。
【産業上の利用可能性】
【００８９】
本発明によれば、振り込め詐欺を抑止できる。このため、本発明は、例えば、金融分野等の分野において、極めて有用な技術といえる。
【符号の説明】
【００９０】
１０、２０、３０                振込処理装置
１１                            データ処理手段
１１１                          顔情報取得手段
１１２                          振込情報取得手段
１１３                          振込名義人顔情報取得手段
１１４                          顔情報判定手段
１１５                          振込処理手段
１１６                          通報確認情報送信手段
１１７                          振込承諾確認情報送信手段
１１８                          通報承諾情報受信手段
１１９                          通報情報送信手段
１３０                          振込承諾情報受信手段
１２                            データ記憶手段
１２１                          顔情報記憶部
１２２                          振込情報記憶部
１２３                          振込名義人顔情報記憶部
１２４                          顔判定記憶部
１２５                          振込処理記憶部
１３                            入力手段
１４                            出力手段
２０１ａ、ｂ、ｃ                通信インターフェイス
２０２ａ、ｂ、ｃ                入力手段
２１０                          通信回線網
２２０                          サーバ
【図１】
0006733898.tif 000002
【図２】
0006733898.tif 000003
【図３】
0006733898.tif 000004
【図４】
0006733898.tif 000005
【図５】
0006733898.tif 000006
【図６】
0006733898.tif 000007